(57)【要約】【課題】タッチパネル式画像記録再生装置を水中で操作を行う場合において、ユーザーが画角を変更しようとして、タッチパネル式画像記録再生装置を手前に引いた場合に、タッチパネル１００の面に水圧がかかってしまい、ユーザーの意図しない動作が実行されてしまう。【解決手段】画角の変化、ズームレバー、タッチパネル式画像記録再生装置の周辺環境、タッチパネル式画像記録再生装置自体の動きベクトル、タッチ信号に応じて、ユーザーが意図的にタッチパネル１００を押したのか、もしくは、タッチパネル式画像記録再生装置を動かしたことによって、タッチパネル１００に水圧がかかり、タッチ信号を検出したのかを判断し、タッチパネル１００に水圧がかかったことが原因で、タッチパネル１００が押されたと判断された場合は、タッチパネル式画像記録再生装置の動作を実行しない制御を行う手段を有する。【選択図】図１
2016019255.tif 000002
【特許請求の範囲】
【請求項１】
水中で抵抗膜式タッチパネルの操作を行い動作を実行することが可能なタッチパネル式画像記録再生装置において、
前記タッチパネル式画像記録再生装置の撮像素子からの画像情報について、画像を解析する画像解析手段と、
画角範囲を制御できるズームレバーが操作された方向を検出するズーム方向検出手段と、
前記タッチパネル式画像記録再生装置が水中にあるか否かを判別する水中判別手段と、
前記抵抗膜式タッチパネルがタッチされたか否かを検出するタッチ信号検出手段とを備え、
前記画像解析手段と、前記ズーム方向検出手段と、前記水中判別手段と、前記タッチ信号検出手段との結果に基づいて、前記タッチ信号に基づいた動作を実行するか否かを判別するタッチ動作実行判別手段を有することを特徴とするタッチパネル式画像記録再生装置。
【請求項２】
前記タッチ動作実行判別手段は、
前記画像解析手段により、画角の変化を検出し、
前記ズーム方向検出手段により、ズームレバーが操作されていないことを検出し、
前記水中判別手段により、前記タッチパネル式画像記録再生装置が水中にあると判別した場合のみ、
前記タッチ信号検出手段により、前記抵抗膜式タッチパネルがタッチされたと判断した場合でも、動作を実行しないことを特徴とする請求項１に記載のタッチパネル式画像記録再生装置。
【請求項３】
前記画像解析手段により、画角が縮小方向に変化したことを検出した場合には、ＴＰ動作を実行しないことを特徴とする請求項２に記載のタッチパネル式画像記録再生装置。
【請求項４】
前記画像解析手段は、
前記撮像素子からの画角情報を、時系列でパターン認識することにより画角変化を検出することを特徴とする請求項１乃至請求項３の何れか一項に記載のタッチパネル式画像記録再生装置。
【請求項５】
前記ズーム方向検出手段は、
前記ズームレバーによって、画角が縮小方向になるような操作をされたことを検出した場合には、ＴＰ動作を実行することを特徴とする請求項１又は請求項２に記載のタッチパネル式画像記録再生装置。
【請求項６】
水中で抵抗膜式タッチパネルの操作を行い動作を実行することが可能なタッチパネル式画像記録再生装置において、
前記タッチパネル式画像記録再生装置の動きベクトルを算出する動きベクトル算出手段と、
前記タッチパネル式画像記録再生装置が水中にあるか否かを判別する水中判別手段と、
前記抵抗膜式タッチパネルがタッチされたか否かを検出するタッチ信号検出手段とを備え、
前記動きベクトル算出手段と、前記水中判別手段と、前記タッチ信号検出検出手段との結果に基づいて、前記タッチ信号に基づいた動作を実行するか否かを判別するタッチ動作実行判別手段を有することを特徴とするタッチパネル式画像記録再生装置。
【請求項７】
前記タッチ動作実行判別手段は、
前記動きベクトル算出手段で、前記タッチパネル式画像記録再生装置の動きベクトルを算出し、
前記水中判別手段で、前記タッチパネル式画像記録再生装置が水中にあると判別した場合のみ、
前記タッチ信号検出手段で、前記抵抗膜式タッチパネルがタッチされたと判断した場合でも、動作を実行しないことを特徴とする請求項５に記載のタッチパネル式画像記録再生装置。
【請求項８】
前記動きベクトル算出手段は、
前記タッチパネル式画像記録再生装置が前記タッチパネル面に圧力がかかる方向に動いたことを算出することを特徴とする請求項５又は請求項６に記載のタッチパネル式画像記録再生装置。
【発明の詳細な説明】
【技術分野】
【０００１】
本発明は、例えば、デジタルスチルカメラなどに使用されているタッチパネル式画像記録再生装置に関し、特に水中で操作を行う場合において、タッチパネルの誤動作防止方法に関する。
【背景技術】
【０００２】
タッチパネル式画像記録再生装置に用いられているタッチパネルの一つとして、抵抗膜方式といわれるものがあり、いわゆる図１１に示すように、タッチパネル上シート１０１とタッチパネル下シート１０２とを重ね合わせることでタッチパネル１００が構成されている。タッチパネル上シート１０１とタッチパネル下シート１０２には、一面に抵抗が貼りめぐらされている。そして、貼りめぐらされた抵抗には、所望の電圧が接続されている。そこで、ユーザーがタッチパネル１００を押すと、タッチパネル上シート１０１と、タッチパネル下シート１０２とが接触した位置に応じて、所望の電圧が分圧されることで、タッチ位置を判別することができる。
【０００３】
さらに、タッチパネル１００は表示画面であるＬＣＤパネル２００と重ね合わせられて構成されている。タッチパネル式画像記録再生装置は、アイコンをＬＣＤパネル２００に表示させ、ユーザーがタッチパネル１００を押圧することで、アイコンに対応した動作を実行させる。
【０００４】
従来、タッチパネル式画像記録再生装置を水中で使用する場合に、タッチパネル１００に水圧がかかることによる誤動作を防止する方法として、水中モードの場合には、ＬＣＤパネル２００上にアイコンを表示しないようにすることで、タッチパネル１００に水圧がかかったとしても誤動作を防止するという方法がある（特許文献１参照）。
【先行技術文献】
【特許文献】
【０００５】
【特許文献１】特開2007-221371号報
【発明の概要】
【発明が解決しようとする課題】
【０００６】
特許文献１のように、水中モードの場合に、アイコンを表示しないようにすれば、タッチパネル１００に水圧がかかったとしても誤動作を防ぐことは可能である。
【０００７】
しかしながら、水中モードの場合にアイコンを表示させない仕様の場合、通常モードでは実行できる動作、例えば、タッチ操作をレリーズスイッチの代わりに用いたり、自動で焦点を合わせる被写体を選択したりすることができなくなってしまう。
【０００８】
一方、水中においても通常モードと同じようにアイコンを表示させて、全てのタッチ操作に対して動作を実行する仕様にした場合には、ユーザーが画角を変更しようとして、タッチパネル式画像記録再生装置を手前に引いた場合に、タッチパネル１００の面に水圧がかかってしまい、ユーザーの意図しない動作が実行されてしまう。その結果、ユーザーが通常モードの感覚で操作ができないことでの戸惑いや、意図しない動作が実行されてしまうことによって、シャッターチャンスを逃してしまうということが起こる。
【０００９】
本発明は、上記課題に鑑みてなされたものであり、水中でタッチパネル式画像記録再生装置を使用する場合に、タッチパネル１００に水圧がかかってしまった場合にも、ユーザーが意図しない動作が実行されてしまうことをなくすことができるタッチパネル式画像記録再生装置を提供することである。
【課題を解決するための手段】
【００１０】
本発明のタッチパネル式画像記録再生装置は、水中で抵抗膜式タッチパネルの操作を行い動作を実行することが可能なタッチパネル式画像記録再生装置において、
前記タッチパネル式画像記録再生装置の撮像素子からの画像情報について、画像を解析する画像解析手段と、
画角範囲を制御できるズームレバーが操作された方向を検出するズーム方向検出手段と、
前記タッチパネル式画像記録再生装置が水中にあるか否かを判別する水中判別手段と、
前記抵抗膜式タッチパネルがタッチされたか否かを検出するタッチ信号検出手段とを備え、
前記画像解析手段と、前記ズーム方向検出手段と、前記水中判別手段と、前記タッチ信号検出手段との結果に基づいて、前記タッチ信号に基づいた動作を実行するか否かを判別するタッチ動作実行判別手段を有することを特徴としている。
【発明の効果】
【００１１】
本発明によれば、水中で抵抗膜式タッチパネルの操作を行い動作を実行することが可能なタッチパネル式画像記録再生装置において、タッチパネル式画像記録再生装置を使用中に、ズーム操作をしていないにも関わらず、画角が縮小方向に変化していることを検出した場合には、タッチパネルが押圧されたタッチ信号に基づいた動作を実行しない方法を用いる。その結果、水圧によって、ユーザーが意図しないタッチ信号が検出された場合にも、誤った動作を実行することがなくなる。
【図面の簡単な説明】
【００１２】
【図１】本発明の第１の実施例に係るフローチャート
【図２】本発明の第１の実施例に係るタイミングチャート
【図３】本発明の第１の実施例に係るブロック図
【図４】本発明の第１の実施例に係る画角情報の変化を示す図
【図５】本発明の第１の実施例に係るタッチパネル１００が押圧されたタッチ信号ＴＰと動作実行に関する対応表
【図６】本発明の第２の実施例に係るフローチャート
【図７】本発明の第２の実施例に係るタイミングチャート
【図８】本発明の第２の実施例に係るブロック図
【図９】本発明の第２の実施例に係るタッチパネル１００が押圧されたタッチ信号ＴＰと動作実行に関する対応表
【図１０】本発明の第２の実施例に係る動きベクトルＡＴＰを示す図
【図１１】一般的なタッチパネル式データ入力装置の要部を示す図
【発明を実施するための形態】
【００１３】
＜第１の実施例＞
以下、図面を参照して本発明を実施するための第１の実施例について詳細に説明する。図３は、本発明を実施するためのブロック図である。図３に示すように、タッチパネル１００、ＬＣＤパネル２００、メモリ３００、ＣＰＵ（中央演算装置）４００、撮像素子５００、ズームレバー６００、水センサ７００とを備えている。
【００１４】
撮像素子５００は、ＣＣＤやＣＭＯＳなどの光を検出して電荷を発生させるフォトダイオードを光電変換する素子である。ズームレバー６００は、撮像素子５００で取り込む画質情報の範囲を変更するメカスイッチである。また、水センサ７００は、タッチパネル式画像記録再生装置の周辺環境が、水中であるか否かを判別するセンサである。水センサ７００については、後で詳しく説明する。また、ＣＰＵ４００はコンテンツ管理装置の動作を制御する演算処理装置であり、タッチパネル１００を介してユーザからの指示受け付けをし、後述する各種プログラムを実行し、ＬＣＤパネル２００の表示制御を行う。また、メモリ３００はＣＰＵ４００のワークエリアとして使用される。
【００１５】
ここで、水センサ７００は、例えば、水分子に吸収される波長の光を用いることにより、非接触で水の有無を検出することが可能なセンサによって、タッチパネル式画像記録再生装置の周辺環境が、水中であるか否かを判別する。
【００１６】
図１は、本発明の実施例に係るフローチャートである。ＣＰＵ４００は、タッチパネル１００が押圧されたタッチ信号ＴＰを検出すると（Ｓ１００）、メモリ３００に格納されている撮像素子５００からの画角情報の変化をリアルタイムに検出する（Ｓ１０１）。そして、図２に示すタイミングチャートのように、タッチパネル１００が押圧されたタッチ信号ＴＰが検出されている期間ｔ２〜ｔ３に、画角が縮小方向に変化していることを示す画角情報ＳＴ→Ｗが検出されているかを判断する（Ｓ１０２）。例えば、図４に示すように、被写体１の顔の大きさが、ｔ１のタイミングでは画面を７０分割（縦７分割×横１０分割）中の４個分であったのに対し、ｔ４のタイミングでは１個分に変化した場合に、画角情報ＳＴ→Ｗを出力する。
【００１７】
また、被写体１と背景１との関係を検出することによって、被写体自身が後方に動いた場合にも、正しい画角変化を検出することが可能となる。具体的には、図４のように、被写体１と背景１との大きさの関係がｔ１のタイミングとｔ４のタイミングで同じ場合には、画角が縮小方向に変化していることを示す画角情報ＳＴ→Ｗを出力する。一方、被写体１は小さくなっているのに、背景１は大きさが変わらなかった場合は、画角情報ＳＴ→Ｗを出力しない。
【００１８】
さらには、被写体１のみではなく、被写体２、被写体３と複数箇所の被写体や、背景１のみではなく、背景２と複数箇所の背景についての時間的変化を検出することで、被写体自体が動いたことにより画角が変化した場合と、タッチパネル式画像記録再生装置自体が動いたこととを判別することができ、検出精度を向上させることができる。
【００１９】
その結果、期間ｔ２〜ｔ３に、画角が縮小方向に変化したと判断することができる画角情報ＳＴ→Ｗを検出した場合には、画角を縮小方向に変化させる操作をおこなったことを示す、ズームレバー６００からのズーム信号ＺＴ→Ｗを取得する（Ｓ１０３）。
【００２０】
次に、図２のように、画角を縮小方向に変化させるズーム操作がおこなわれていなかったと判断（Ｓ１０４）した場合には、期間ｔ２〜ｔ３に、タッチパネル式画像記録再生装置を水中で使用しているかどうかを、水センサ７００の判別結果Ｗによって判断する（Ｓ１０５）。図２の場合は、タッチパネル式画像記録再生装置はｔ０のタイミングで水中に入れられ、ｔ５のタイミングで水中から大気中に出されたと判断できるので、期間ｔ２〜ｔ３には水中にあったと判断し、タッチパネル１００が押圧されたタッチ信号ＴＰに基づいた動作を実行しない（Ｓ１０６）。ここでいうタッチ信号ＴＰに基づいた動作とは、例えば、被写体をタッチすることで、自動的に焦点を合わせる被写体を変更する動作や、メニュー画面に戻る動作等を想定している。
【００２１】
ここで、タッチパネル１００が押圧されたタッチ信号ＴＰと、撮像素子５００からの画角情報ＳＴ→Ｗと、ズームレバー６００からのズーム信号ＺＴ→Ｗと、水センサ７００からの判別信号Ｗとのタッチ信号に応じて、タッチ信号ＴＰに基づく動作を実行するか否かの処理について、図５に示す、第１の実施例に係るタッチパネル１００が押圧されたタッチ信号ＴＰと動作実行に関する対応表を用いて説明する。
【００２２】
まず、パターン１〜７は、タッチパネル１００が押圧されたタッチ信号ＴＰが検出された場合の処理についてである。パターン１〜７の中で、図２のタイミングチャートで示すパターン３の場合のみ、タッチパネル１００が押圧されたタッチ信号ＴＰに基づいた動作を実行しない。
【００２３】
一方、パターン８〜１４は、タッチパネル１００が押圧されたタッチ信号ＴＰが検出されなかった場合の処理についてである。この場合、パターン８〜１４の全てにおいて、動作を実行しない。
【００２４】
なお、Ｓ１０４において、ズーム信号ＺＴ→Ｗが検出されたと判断した場合にも、画角情報ＳＴ→Ｗとズーム信号ＺＴ→Ｗとの時間的変化量を比較して、ＳＴ→Ｗ／sec＞ＺＴ→Ｗ／secだった場合には、Ｓ１０５において、タッチパネル式画像記録再生装置を水中で使用していると判断した場合のみ、タッチパネル１００が押圧されたタッチ信号ＴＰに基づいた動作を実行しないとしてもよい。この場合、タッチパネル式画像記録再生装置を水中で使用しており、ズームレーバー６００を操作しているが、ズームレバー６００による画角の変化だけではなく、ユーザーがタッチパネル式画像記録再生装置を手前に引いたことで、タッチパネル１００の面に水圧がかかりタッチパネル１００を押圧したタッチ信号ＴＰを検出したと考えられる。
【００２５】
＜第２の実施例＞
以下、図面を参照して本発明を実施するための第２の実施例について詳細に説明する。図８は、本発明を実施するためのブロック図である。図８に示すように、タッチパネル１００、ＬＣＤパネル２００、メモリ３００、ＣＰＵ（中央演算装置）４００、水センサ７００、加速度センサ８００とを備えている。なお、図３と同じ符号を付した番号は説明を繰り返さない。加速度センサ８００は、タッチパネル式画像記録再生装置自体の動きベクトルを検出するセンサである。
【００２６】
図６は、本発明の実施例に係るフローチャートである。ＣＰＵ４００は、タッチパネル１００が押圧された信号ＴＰを検出すると（Ｓ２００）、メモリ３００に格納されている加速度センサ８００からのタッチパネル式画像記録再生装置自体の動きベクトルＡを取得する（Ｓ２０１）。例えば、図７に示すタイミングチャートのように、タッチパネル１００が押圧された信号ＴＰが検出されている期間ｔ１２〜ｔ１３に、タッチパネル式画像記録再生装置自体がタッチパネル１００面に水圧がかかる方向に動いていることを示す動きベクトルＡＴＰが検出されているかを判断する（Ｓ２０２）。尚、タッチパネル１００面に水圧がかかる方向とは、図１０に示すように、タッチパネル式画像記録再生装置が、矢印の方向に動く方向である。
【００２７】
その結果、期間ｔ１２〜ｔ１３に、タッチパネル式画像記録再生装置自体がタッチパネル１００面に水圧がかかる方向に動いたと判断できる動きベクトルＡＴＰを検出した場合には、動きベクトルＡＴＰを検出した期間ｔ１１〜ｔ１４に、タッチパネル式画像記録再生装置を水中で使用しているかどうかを、水センサ７００の判別結果Ｗによって判断する（Ｓ２０３）。図５の場合は、タッチパネル式画像記録再生装置はｔ１０のタイミングで水中に入れられ、ｔ１５のタイミングで水中から大気中に出されたと判断できるので、期間ｔ１１〜ｔ１３には水中にあったと判断し、タッチパネル１００が押圧されたタッチ信号ＴＰに基づいた動作を実行しない（Ｓ２０４）。
【００２８】
ここで、タッチパネル１００が押圧されたタッチ信号ＴＰと、加速度センサ８００からの動きベクトルＡＴＰと、水センサ７００からの判別信号Ｗとの検出結果に応じて、タッチ信号ＴＰに基づく動作を実行するか否かの処理について、図９に示す、第２の実施例に係るタッチパネル１００が押圧されたタッチ信号ＴＰと動作実行に関する対応表を用いて説明する。
【００２９】
まず、パターン１５〜１８は、タッチパネル１００が押圧されたタッチ信号ＴＰが検出された場合の処理についてである。パターン１５〜１８の中で、図７のタイミングチャートで示すパターン１５の場合のみ、タッチパネル１００が押圧されたタッチ信号ＴＰに基づいた動作を実行しない。
【００３０】
一方、パターン１９〜２２は、タッチパネル１００が押圧されたタッチ信号ＴＰが検出されなかった場合の処理についてである。この場合、パターン１９〜２２の全てにおいて、動作を実行しない。
【００３１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３２】
また、上述の実施形態の機能を実現するタッチパネルタッチ信号ＴＰに基づいた動作実行処理を、タッチパネル式データ入力を行なう全ての装置に適応する場合も本発明に含む。
【００３３】
（他の実施形態）
上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行することでも本発明は実現可能である。この場合、そのプログラム、及び該プログラムを記憶した記憶媒体は本発明を構成することになる。
【符号の説明】
【００３４】
１００  タッチパネル、２００  ＬＣＤパネル、３００  メモリ、４００  ＣＰＵ、
５００  撮像素子、６００  ズームレバー、７００  水センサ、８００  加速度センサ
【図１】
2016019255.tif 000003
【図２】
2016019255.tif 000004
【図３】
2016019255.tif 000005
【図４】
2016019255.tif 000006
【図５】
2016019255.tif 000007
【図６】
2016019255.tif 000008
【図７】
2016019255.tif 000009
【図８】
2016019255.tif 000010
【図９】
2016019255.tif 000011
【図１０】
2016019255.tif 000012
【図１１】
2016019255.tif 000013